(57)【要約】【課題】  種々のサイズの媒体をスキューを発生させずに供給することができる媒体給送装置及びその給送装置を備えた記録装置と液体噴射装置を提供すること。【解決手段】  給送する媒体の一側端部を案内する第１の案内部材２３ａが当接部３１に設けられ、第２の案内部材２３ｂが前記第１の案内部材に対して給送下流側に近接して設けられている。これにより、種々のサイズの媒体を供給する際に当該媒体の側端部と案内部材との係合距離が長くなるので、高精度な供給を維持することができる。【選択図】      図９
2006117394.tif 000002
【特許請求の範囲】
【請求項１】
媒体を分離及び給送する媒体給送装置であって、
給送する前記媒体を支持し、当該媒体を給送する際に供給ローラに当接させる当接部と、
前記当接部を可動自在に支持する枠部とを備え、
給送する前記媒体の一側端部を案内する第１の案内部材が前記当接部に設けられ、第２の案内部材が前記第１の案内部材に対して給送下流側に近接して設けられていることを特徴とする媒体給送装置。
【請求項２】
前記第２の案内部材は、前記当接部にオーバーラップする形で前記枠部に設けられ、前記媒体をセットしたときに前記媒体の一側端部が前記第１及び第２の案内部材に当接することを特徴とする請求項１に記載の媒体給送装置。
【請求項３】
前記第２の案内部材は、前記媒体の分離・給送の全領域にかけて跨ぐ形で設けられていることを特徴とする請求項１または２に記載の媒体給送装置。
【請求項４】
前記媒体の一側端部が前記第１の案内部材から外れたときに、当該一側端部を前記第２の案内部材と共に案内する第３の案内部材が前記第２の案内部材に対して給送下流側に設けられていることを特徴とする請求項１〜３の何れか一項に記載の媒体給送装置。
【請求項５】
媒体に記録する記録装置であって、
請求項１〜４の何れか一項に記載の媒体給送装置を備えたことを特徴とする記録装置。
【請求項６】
被噴射媒体に液体を噴射する液体噴射装置であって、
請求項１〜４の何れか一項に記載の媒体給送装置を備えたことを特徴とする液体噴射装置。
【発明の詳細な説明】
【技術分野】
【０００１】
本発明は、媒体を給送する媒体給送装置及びその媒体給送装置を備えた記録装置と液体噴射装置に関する。
【背景技術】
【０００２】
一般的な記録装置の１つであるインクジェット式プリンタは、背面側上部に給紙部が形成され、前面側下部に排紙部が形成されている。給紙部には、用紙を傾斜させた状態で積層支持するペーパーサポートと、ペーパーサポートに積層支持された用紙を持ち上げて給紙ローラに当接させるホッパ等が配設されている。そして、ホッパには、ペーパーサポートに積層支持された用紙の側端部を給紙時に案内するエッジガイドが配設されている。
【０００３】
【特許文献１】特開２００２−３７４６０号公報
【発明の開示】
【発明が解決しようとする課題】
【０００４】
上述した従来のインクジェット式プリンタにより例えば名刺サイズの用紙に記録する場合、その用紙の縦長は非常に短いので、給紙時におけるエッジガイドとの係合距離も短くなる。このため、その用紙が紙送りローラに達する前に用紙後端がエッジガイドを通過してしまい、用紙の側端部がフリー状態となって、用紙がスキューを起こすおそれがある。
【０００５】
本発明は、上記のような種々の課題に鑑みなされたものであり、その目的は、種々のサイズの媒体をスキューを発生させずに供給することができる媒体給送装置及びその媒体給送装置を備えた記録装置と液体噴射装置を提供することにある。
【課題を解決するための手段】
【０００６】
上記目的達成のため、本発明の媒体給送装置では、媒体を分離及び給送する媒体給送装置であって、給送する前記媒体を支持し、当該媒体を給送する際に供給ローラに当接させる当接部と、前記当接部を可動自在に支持する枠部とを備え、給送する前記媒体の一側端部を案内する第１の案内部材が前記当接部に設けられ、第２の案内部材が前記第１の案内部材に対して給送下流側に近接して設けられていることを特徴としている。これにより、種々のサイズの媒体を供給する際に当該媒体の側端部と案内部材との係合距離が長くなるので、高精度な供給を維持することができる。
【０００７】
また、前記第２の案内部材は、前記当接部にオーバーラップする形で前記枠部に設けられ、前記媒体をセットしたときに前記媒体の一側端部が前記第１及び第２の案内部材に当接することを特徴としている。これにより、当接部が可動しても媒体を常に案内部材に当接させておくことができる。また、前記第２の案内部材は、前記媒体の分離・給送の全領域にかけて跨ぐ形で設けられていることを特徴としている。これにより、媒体を高精度に分離・給送することができる。また、媒体の一側端部が前記第１の案内部材から外れたときに、当該一側端部を前記第２の案内部材と共に案内する第３の案内部材が前記第２の案内部材に対して給送下流側に設けられていることを特徴としている。これにより、最小サイズの媒体であっても高精度に分離・給送することができる。
【０００８】
上記目的達成のため、本発明の記録装置では、媒体に記録する記録装置であって、上記各媒体給送装置を備えたことを特徴としている。また、本発明の液体噴射装置では、被噴射媒体に液体を噴射する液体噴射装置であって、上記各媒体給送装置を備えたことを特徴としている。これにより、上記各作用効果を奏する記録装置及び液体噴射装置を提供することができる。
【発明を実施するための最良の形態】
【０００９】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１０】
このインクジェット式複合機１００は、図１に示すように、全体が略直方体状のハウジング１０１で覆われており、下段にプリンタ１１０が配設され、上段にスキャナ１２０が配設された構成となっている。そして、背面側に本発明の特徴的な部分である給紙部１３０が配設され、前面側に給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１１】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１２】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１３】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。また、ハウジング１０１内には、図２及び図３に示すように、本発明の特徴的な部分を含む給紙部１３０及び給排紙部１４０と、記録部１５０等が配設されている。
【００１４】
図４は、上記給紙部１３０の詳細を斜め前方から見た斜視図、図５は、それを斜め後方から見た斜視図、図６は、その側面図である。給紙部１３０について、図１〜図６を参照して説明する。給紙部１３０には、上方に向かって矩形状に開口したリア給紙口１３１が形成され、このリア給紙口１３１の両端縁と後縁に沿ってフレーム（枠部）１３２が配設されている。
【００１５】
フレーム１３２は、装置前面側から見て右側壁１３２ａと左側壁１３２ｂ、及びそれらの間に架設された後壁１３２ｃと底盤１３２ｄで構成されている。この底盤１３２ｄの右側壁１３２ａ近傍には、用紙の右サイドエッジをガイドする本発明の特徴的な部分である図９等に示す第２固定エッジガイド（第２の案内部材）２３ｂが配設されている。そして、このフレーム１３２には、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。ペーパーサポート１３３とリアＡＳＦ１３４は、フレーム１３２に囲われた１ユニットとして構成されているので、インクジェット式複合機１００の組立や修理等の際の取り扱いが容易となる。
【００１６】
ペーパーサポート１３３は、用紙の裏面をサポートする第１サポート２１及び第２サポート２２と、用紙の両サイドエッジをガイドする本発明の特徴的な部分である第１固定エッジガイド（第１の案内部材）２３ａと可動エッジガイド２４等を備えている。リアＡＳＦ１３４は、ペーパーサポート１３３にサポートされている用紙を給送するために持ち上げるホッパ（当接部）３１、このホッパ３１により持ち上げられた用紙を取り出す給紙ローラ（供給ローラ）３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００１７】
第１サポート２１は、平板状に形成されてフレーム１３２の後壁１３２ｃの内側であって右側壁１３２ａと左側壁１３２ｂの間に配設され、第１サポート２１の両側端が右側壁１３２ａと左側壁１３２ｂに沿って上下に摺動自在となるように嵌め込まれている。第２サポート２２は、平板状に形成されて上端が突出する形で第１サポート２１の背面側に収納され、第２サポート２２の両側端が第１サポート２１の両側壁に沿って上下に摺動自在となるように嵌め込まれている。ペーパーサポート１３３は、第１サポート２１と第２サポート２２の２段階で収納・引出自在となっているので、収納したときの面積を小さくすることができ、また引き出したときの支持面積を大きく取ることができる。すなわち、第１サポート２１及び第２サポート２２は、給紙方向に伸縮自在に形成されているので、不使用のときはコンパクトに格納しておくことができ、また使用のときは種々のサイズの用紙を確実にサポートすることができる。
【００１８】
第１固定エッジガイド２３ａは、ホッパ３１の右側端から垂直に立ち上がるように一体形成され、可動エッジガイド２４は、第１固定エッジガイド２３ａと平行であって、ホッパ３１の左側端と右側端との間に形成された溝３１ａに沿って摺動自在に配設されている。可動エッジガイド２４は、スムーズに移動することができるので、第１固定エッジガイド２３ａとの間で用紙を幅に合わせて正確に挟み込むことができる。すなわち、第１固定エッジガイド２３ａと可動エッジガイド２４は、用紙のサイズが異なっても確実に用紙の両側縁をガイドすることができるので、給送を高精度に行うことができる。
【００１９】
ホッパ３１は、用紙が載置可能な平板状に形成されて第１サポート２１の内側であってフレーム１３２の右側壁１３２ａと左側壁１３２ｂの間に配設され、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回して、収納されている用紙の下端を給紙ローラ３２に対して押圧・離間するようになっている。
【００２０】
給紙ローラ３２は、両端がフレーム１３２の右側壁１３２ａと左側壁１３２ｂの間に回転自在に配設されている給紙ローラ軸３２ａの右端寄りに配設されている。そして、この給紙ローラ軸３２ａには、主要な用紙の幅に合わせて３つの補助給紙ローラ３２ｂが配設されている。給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。この給紙ローラ３２は、用紙の摩擦給送が容易となるように、外周にゴム等が配設されている。
【００２１】
リタードローラ３３は、フレーム１３２の底盤１３２ｄにおける給紙ローラ３２と接触する位置に回転自在に軸支持されており、給紙ローラ３２により用紙が重送されたときに最上層の用紙のみを下層の用紙から摩擦分離するようになっている。リア紙戻しユニット３４は、フレーム１３２の底盤１３２ｄにおけるリタードローラ３３の両側と、補助給紙ローラ３２ｂの近傍の４箇所に回転自在に軸支持されている。このリア紙戻しユニット３４は、爪状に形成されて給紙ローラ３２の近傍に配設されており、リタードローラ３３により分離された下層の用紙を爪に掛けてホッパ３１へ戻すようになっている。
【００２２】
図７は、上記第１サポート２１及び第２サポート２２の詳細を背面側から見た斜視図である。第１サポート２１の背面側には、第２サポート２２が収まる収納部２１ａが形成されている。第２サポート２２の背面側には、両側縁に沿ってガイド溝２２ａが形成され、上縁に指掛け部２２ｂが形成されている。そして、第１サポート２１の収納部２１ａの両側には、第２サポート２２のガイド溝２２ａに入り込んで第２サポート２２の摺動をガイドするガイド部２１ｂが形成されている。ユーザは、第２サポート２２の指掛け部２２ｂに指を掛けて引き上げ、あるいは押し込むことにより、第２サポート２２を第１サポート２１に対し容易に引出・収納することができる。さらに、第１サポート２１の背面側の下部両側には、第１サポート２１の両側面がフレーム１３２の右側壁１３２ａと左側壁１３２ｂに沿って摺動する際のガイドとなるスライダ２５が配設されている。
【００２３】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構（以下、フロントＡＳＦという）１４４と、排紙トレイ１４３に用紙を自動的に排送する前面排紙機構（以下、フロントＥＪという）１４５が配設されている。
【００２４】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２５】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。次に、本発明の特徴的な部分について図を参照して説明する。
【００２６】
図８は、フロントＡＳＦ１４４の詳細を示す側面図である。フロントＡＳＦ１４４について、図３及び図８を参照して説明する。フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ４５及びアシストローラ４６、中間ローラ４５等とともに給送される用紙を案内する案内部４７等を備えている。
【００２７】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００２８】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、案内部４７を通してプラテン１５５へ給送するようになっている。なお、この案内部４７には、用紙の右サイドエッジをガイドする本発明の特徴的な部分である第３固定エッジガイド（第３の案内部材）２３ｃが配設されている。
【００２９】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００３０】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００３１】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００３２】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、本発明の特徴的な部分を含む給紙部１３０について、さらに図を参照して説明する。
【００３３】
図９は、本発明の特徴的な部分である第１、第２、第３固定エッジガイド２３ａ、２３ｂ、２３ｃと周辺部を示す斜視図、図１０（Ａ）、（Ｂ）は、その拡大斜視図及び拡大平面図、図１１（Ａ）、（Ｂ）は、用紙をホッパ３１上に載置したときの拡大斜視図及び拡大側面図である。第１固定エッジガイド２３ａは、ホッパ３１の右側端から垂直に立ち上がるように一体形成されている。第２固定エッジガイド２３ｂは、フレーム１３２の底盤１３２ｄの右側端から垂直に立ち上がるように一体形成されている。第３固定エッジガイド２３ｃは、案内部４７の右側端から垂直に立ち上がるように一体形成されている。
【００３４】
そして、第２固定エッジガイド２３ｂは、第１固定エッジガイド２３ａに対して給紙下流側に隙間が僅少となるように、かつ図１１（Ｂ）に示すように、ホッパ３１にオーバーラップし、用紙の分離・給紙の全領域にかけて跨ぐ形で配設されている。このような構成によれば、図１１（Ａ）、（Ｂ）のＧに示すように、用紙Ｐをホッパ３１上にセットしたとき、用紙Ｐの一側端部は第１固定エッジガイド２３ａと第２固定エッジガイド２３ｂの両者に必ず当接することになる。このため、ホッパ３１上の用紙Ｐはホッパ３１の上下動で暴れてスキューを引き起こし易いが、用紙Ｐの給紙先端部は第２固定エッジガイド２３ｂで規制されているので、ホッパ３１上での暴れを抑えてスキューの発生を防止することができる。
【００３５】
一方、第３固定エッジガイド２３ｃは、プリンタの構造上、第２固定エッジガイド２３ｂに対して給紙下流側にやや離れて配設されているが、例えば名刺のような小さいサイズの用紙の一側端部が第１固定エッジガイド２３ａから外れたとき、第２固定エッジガイド２３ｂとともに当接してガイドするので、第１、第２固定エッジガイド２３ａ、２３ｂで矯正できない小さなスキューを抑えることができる。
【００３６】
ここで、第１、第２、第３固定エッジガイド２３ａ、２３ｂ、２３ｃは、給紙方向に一直線となるように配設されることが望ましい。ところが、部品公差ばらつきにより、第２固定エッジガイド２３ｂが第１固定エッジガイド２３ａより左に位置したり、第３固定エッジガイド２３ｃが第２固定エッジガイド２３ｂより左に位置した場合、用紙をホッパ３１上にセットしたときに、用紙端面がエッジガイド段差に当接して傷付いたり変形したりするおそれがある。そこで、第２固定エッジガイド２３ｂは第１固定エッジガイド２３ａより右に僅かにオフセットした位置に配設し、第３固定エッジガイド２３ｃも第２固定エッジガイド２３ｂより右に僅かにオフセットした位置に配設する。
【００３７】
図１２（Ａ）、（Ｂ）は、可動エッジガイド２４と周辺部を示す斜視図及び背面斜視図、図１３は、可動エッジガイド２４の詳細を示す背面斜視図である。可動エッジガイド２４は、第１固定エッジガイド２３ａと平行であって、ホッパ３１の左側端と右側端との間に形成された溝３１ａに沿って摺動自在に配設されている。この可動エッジガイド２４の下部背面側には、上記溝３１ａに挿入されて摺動する突起部２４ａが設けられ、可動エッジガイド２４の上部には、ホッパ３１の上部に係止される係止部２４ｂが設けられている。
【００３８】
そして、この係止部２４ｂの背面側には、可動エッジガイド２４が摺動するときの縦方向のガタを矯正するガタ矯正部２４ｃが形成されている。このガタ矯正部２４ｃは、係止部２４ｂの一端に摺動方向にスリットを入れて片持ち梁の形状とし、その自由端部がホッパ３１の上部に設けられている摺動方向に延びるレール３１ｂを上から押圧する形状に形成されている。このようなガタ矯正部２４ｃを設けることにより、可動エッジガイド２４には一定方向のモーメントが働くので、可動エッジガイド２４が摺動するときの縦方向のガタを矯正し、可動エッジガイド２４の給紙下流側先端部にて用紙をガイドすることができる。
【００３９】
このような構成において、インクジェット式複合機１００にて用紙に記録する場合の動作について説明する。ユーザは、ペーパーサポート１３３の第２サポート２２を第1サポート２１から完全に引き出すとともに、第1サポート２１をフレーム１３２から完全に引き出してセットする。そして、記録前の複数枚の用紙をペーパーサポート１３３に収納してインクジェット式複合機１００を起動する。ペーパーサポート１３３に積層収納された用紙は、給紙ローラ３２の回転に機械的に同期した圧縮バネの復元によるホッパ３１の上昇により給紙ローラ３２に押付けられ、最上層の用紙のみがリタードローラ３３により分離されて紙送りローラ１５１へ給送される。このとき、用紙は第１、第２、第３固定エッジガイド２３ａ、２３ｂ、２３ｃに順次ガイドされるので、スキューの発生を防止することができる。
【００４０】
そして、用紙は、スキュー取り及び頭出しされた後、紙送り機構１５６により駆動されている紙送りローラ１５１とその従動ローラ１５２に挟持されてプラテン１５５へ給送される。用紙は、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する。そして、記録が完了した用紙は、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００４１】
以上のように、本実施形態のインクジェット式複合機１００によれば、給紙する用紙の一側端部を案内する第１固定エッジガイド２３ａがホッパ３１に設けられ、第２固定エッジガイド２３ｂが第１固定エッジガイド２３ａに対して給送下流側に近接して設けられているので、種々のサイズの用紙を給紙する際に当該用紙の側端部と第１、第２固定エッジガイド２３ａ、２３ｂとの係合距離が長くなり、高精度な給紙を維持することができる。
【００４２】
また、第２固定エッジガイド２３ｂは、ホッパ３１にオーバーラップする形でフレーム１３２の底盤１３２ｄに設けられ、用紙をセットしたときに用紙の一側端部が第１、第２固定エッジガイド２３ａ、２３ｂに当接するので、ホッパ３１が可動しても用紙を常に第１、第２固定エッジガイド２３ａ、２３ｂに当接させておくことができる。また、第２固定エッジガイド２３ｂは、用紙の分離・給紙の全領域にかけて跨ぐ形で設けられているので、用紙を高精度に分離・給送することができる。また、用紙の一側端部が第１固定エッジガイド２３ａから外れたときに、当該一側端部を第２固定エッジガイド２３ｂと共に案内する第３固定エッジガイド２３ｃが第２固定エッジガイド２３ｂに対して給紙下流側に設けられているので、最小サイズの用紙であっても高精度に分離・給送することができる。
【産業上の利用可能性】
【００４３】
媒体給送装置を備えた記録装置であれば、例えばファクシミリ装置、コピー装置、スキャナ等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４４】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機の給紙部の詳細を斜め前方から見た斜視図である。
【図５】図４の給紙部の詳細を斜め後方から見た斜視図である。
【図６】図４の給紙部の詳細を示す側面図である。
【図７】図６の給紙部の第１、第２サポートの詳細を背面側から見た斜視図である。
【図８】図１の複合機のフロントＡＳＦの詳細を示す側面図である。
【図９】本発明の特徴的な部分である第１、第２、第３固定エッジガイドと周辺部を示す斜視図である。
【図１０】図９の第１、第２、第３固定エッジガイド拡大斜視図及び拡大平面図である。
【図１１】図９の第１、第２、第３固定エッジガイド拡大斜視図及び拡大側面図である。
【図１２】図４の可動エッジガイドと周辺部を示す斜視図及び背面斜視図である。
【図１３】図１２の可動エッジガイドの詳細を示す背面斜視図である。
【符号の説明】
【００４５】
２１  第１サポート、２２  第２サポート、２３ａ  第１固定エッジガイド、２３ｂ  第２固定エッジガイド、２３ｃ  第３固定エッジガイド、２４  可動エッジガイド、３１  ホッパ、３２  給紙ローラ、４７  案内部、１００  インクジェット式複合機、１０１  ハウジング、１１０  プリンタ、１２０  スキャナ、１３０  給紙部、１３２  フレーム、１３２ａ  右側壁、１３２ｂ  左側壁、１３２ｃ  後壁、１３２ｄ  底盤、１３３  ペーパーサポート、１３４  リアＡＳＦ、１４０  給排紙部、１５０  記録部
【図１】
2006117394.tif 000003
【図２】
2006117394.tif 000004
【図３】
2006117394.tif 000005
【図４】
2006117394.tif 000006
【図５】
2006117394.tif 000007
【図６】
2006117394.tif 000008
【図７】
2006117394.tif 000009
【図８】
2006117394.tif 000010
【図９】
2006117394.tif 000011
【図１０】
2006117394.tif 000012
【図１１】
2006117394.tif 000013
【図１２】
2006117394.tif 000014
【図１３】
2006117394.tif 000015